(57)【要約】      （修正有） 【課題】身障者が車椅子で廊下を曲がる際、煩雑な操作をせずとも容易に曲がることを可能にする。【解決手段】身障者対応構造の施工方法においては、まず、廊下の曲がり箇所１にある出隅部２から直交二方向に延びる既存壁材３，３を天井から所定高さＨだけ下がった上方切断高さで水平に切断する。また、出隅部２から直交二方向に所定の水平距離だけ離間した位置にてそれぞれ鉛直に切断する。次に、新設柱２１，２１をそれぞれ建て込む。次に、出隅部の既存柱１１を床支持高さと上方切断高さでそれぞれ水平に切断して撤去する。次に、床パネル４２を二階の床梁２２に残置された既存梁の下方部分４４の上端に取り付ける。また、下がり天井パネル４１を上階の床梁２４に垂設状態で残置された既存梁の上方部分４３の下端に取り付ける。次に、壁パネル５１を取り付ける。【選択図】図７
2005240473.tif 000002
【特許請求の範囲】
【請求項１】
所定階の廊下の曲がり箇所にある出隅部から直交二方向に延びる既存壁材を天井から所定高さだけ下がった上方切断高さで水平に切断するとともに前記出隅部から前記直交二方向に所定の水平距離だけそれぞれ離間した位置にてそれぞれ鉛直に切断することで前記既存壁材のコーナー部を撤去し、前記水平距離だけ離間した位置にて新設柱をそれぞれ建て込んで前記所定階の床梁の天端及び該所定階の上階の梁の下端に固定し、前記出隅部の既存柱を床支持高さと前記上方切断高さでそれぞれ水平に切断して撤去し、直角三角形をなす床パネルを直角を挟む二辺が前記既存壁材と平行になるようにかつ斜辺が前記廊下と逆側に位置するように、前記既存柱のうち、前記所定階の床梁に残置された下方部分の上端に取り付けるとともに、直角三角形をなす下がり天井パネルを直角を挟む二辺が前記既存壁材と平行になるようにかつ斜辺が前記廊下と逆側に位置するように、前記既存柱のうち、前記上階の床梁に垂設状態で残置された上方部分の下端に取り付け、所定の壁パネルを、その周縁が前記下がり天井パネルの斜辺縁部、前記床パネルの斜辺縁部及び前記既存壁材の切断縁部に接合されるように取り付けることを特徴とする廊下コーナー部における身障者対応構造の施工方法。
【請求項２】
前記新設柱を前記既存柱の柱幅だけ離間させて配置するとともに前記水平距離を前記既存柱の柱幅の２倍とした請求項１記載の廊下コーナー部における身障者対応構造の施工方法。
【請求項３】
前記壁パネルを透過性材料で構成するとともに、該壁パネルと対向配置される居室側の壁材を透過性材料で構成した請求項１記載の廊下コーナー部における身障者対応構造の施工方法。
【請求項４】
前記既存壁材のうち、残置された既存壁材を耐力面材に置換する請求項１記載の廊下コーナー部における身障者対応構造の施工方法。
【発明の詳細な説明】
【技術分野】
【０００１】
本発明は、主として住宅における廊下コーナー部における身障者対応構造及びその施工方法に関する。
【背景技術】
【０００２】
高齢化社会の進行に伴い、最近の住宅には、高齢者に対応した構造が求められることが多くなっており、例えば、住宅内の段差をなくしてバリアフリーとしたり、階段だけでなく廊下にも手摺を設置したり、車椅子が通過できるように廊下幅を調整したりすることが取り入れられている。そして、このような高齢者への対応は、車椅子が必要な身障者についても同様に必要となってくる。
【０００３】
ここで、車椅子に乗った身障者（以下、高齢者を含め、車椅子が必要な者を身障者とよぶ）が廊下の角を曲がろうとする際、曲がり箇所でいったん車椅子を止め、次いで、車椅子の両輪を逆方向に回して進行方向に角度を変えなければならない。
【０００４】
そのため、最近になって廊下の角を曲がりやすくしたいというニーズが増えてきた。
【０００５】
【特許文献１】特開２００３−２６８９９０
【発明の開示】
【発明が解決しようとする課題】
【０００６】
しかしながら、既存住宅の廊下幅を拡幅することは住宅全体の構造上、困難であり、身障者は、上述したような煩雑な車椅子の操作で日常暮らすことを余儀なくされていた。
【課題を解決するための手段】
【０００７】
本発明は、上述した事情を考慮してなされたもので、身障者が車椅子で廊下を曲がる際、煩雑な操作をせずとも容易に曲がることが可能な廊下コーナー部における身障者対応構造及びその施工方法を提供することを目的とする。
【０００８】
上記目的を達成するため、本発明に係る廊下コーナー部における身障者対応構造の施工方法は請求項１に記載したように、所定階の廊下の曲がり箇所にある出隅部から直交二方向に延びる既存壁材を天井から所定高さだけ下がった上方切断高さで水平に切断するとともに前記出隅部から前記直交二方向に所定の水平距離だけそれぞれ離間した位置にてそれぞれ鉛直に切断することで前記既存壁材のコーナー部を撤去し、前記水平距離だけ離間した位置にて新設柱をそれぞれ建て込んで前記所定階の床梁の天端及び該所定階の上階の梁の下端に固定し、前記出隅部の既存柱を床支持高さと前記上方切断高さでそれぞれ水平に切断して撤去し、直角三角形をなす床パネルを直角を挟む二辺が前記既存壁材と平行になるようにかつ斜辺が前記廊下と逆側に位置するように、前記既存柱のうち、前記所定階の床梁に残置された下方部分の上端に取り付けるとともに、直角三角形をなす下がり天井パネルを直角を挟む二辺が前記既存壁材と平行になるようにかつ斜辺が前記廊下と逆側に位置するように、前記既存柱のうち、前記上階の床梁に垂設状態で残置された上方部分の下端に取り付け、所定の壁パネルを、その周縁が前記下がり天井パネルの斜辺縁部、前記床パネルの斜辺縁部及び前記既存壁材の切断縁部に接合されるように取り付けるものである。
【０００９】
また、本発明に係る廊下コーナー部における身障者対応構造の施工方法は請求項１に記載したように、前記新設柱を前記既存柱の柱幅だけ離間させて配置するとともに前記水平距離を前記既存柱の柱幅の２倍としたものである。
【００１０】
また、本発明に係る廊下コーナー部における身障者対応構造の施工方法は請求項１に記載したように、前記壁パネルを透過性材料で構成するとともに、該壁パネルと対向配置される居室側の壁材を透過性材料で構成したものである。
【００１１】
また、本発明に係る廊下コーナー部における身障者対応構造の施工方法は請求項１に記載したように、前記既存壁材のうち、残置された既存壁材を耐力面材に置換するものである。
【００１２】
本出願人らは、車椅子に乗った身障者が廊下の角でいかにして容易に曲がることができるかという課題の下、出隅になっている廊下のコーナー部をカット（角切り）すれば曲がりやすくなる点に着眼し、かかる着眼の下、さまざまな検討を重ねた結果、コーナー部の角切りに伴うさまざまな問題を解決し、コーナー部の角切りを効率的に行うことに成功したものである。
【００１３】
すなわち、請求項１に係る廊下コーナー部の身障者対応構造においては、まず、所定階の廊下の曲がり箇所にある出隅部から直交二方向に延びる既存壁材を天井から所定高さだけ下がった上方切断高さで水平に切断する。
【００１４】
また、出隅部から直交二方向に所定の水平距離だけ離間した位置にてそれぞれ鉛直に切断する。
【００１５】
このようにすると、例えば廊下の天井高が２，２００ｍｍ、天井からの所定高さが２００ｍｍとすると、既存壁材は、高さが２，０００ｍｍのところで水平に切断されるとともに、出隅部から所定の水平距離だけ離間した位置で鉛直に切断されることになるので、この切断された既存壁材のコーナー部を撤去する。
【００１６】
ちなみに、この段階では、出隅部の既存柱が露出されることになる。
【００１７】
次に、既存柱に対して直交二方向側であって所定の水平距離だけ離間した位置にて２本の新設柱をそれぞれ建て込む。ここで、離間位置を新設柱の芯とするのか縁部とするのかは任意であるが、いずれにしろ、後工程で壁パネルを取り付ける際、新設柱を壁パネル取付け用下地として利用できるようにする。
【００１８】
新設柱は、柱脚を所定階の床梁の天端に固定するとともに、柱頭を所定階の上階の梁の下端に固定する。
【００１９】
このようにすると、２本の新設柱は、上階の梁を仮受けした状態となるので、出隅部の既存柱を床支持高さと上方切断高さでそれぞれ水平に切断して撤去する。
【００２０】
次に、直角三角形をなす床パネルを所定階の床梁に残置された既存梁の下方部分の上端に取り付ける。取付けにあたっては、直角を挟む二辺が既存壁材と平行になるようにかつ斜辺が廊下と逆側に位置するように取り付ける。
【００２１】
また、直角三角形をなす下がり天井パネルを上階の床梁に垂設状態で残置された既存梁の上方部分の下端に取り付ける。取付けにあたっては、直角を挟む二辺が既存壁材と平行になるようにかつ斜辺が廊下と逆側に位置するように、取り付ける。
【００２２】
次に、所定の壁パネルを、その周縁が下がり天井パネルの斜辺縁部、前記床パネルの斜辺縁部及び前記既存壁材の切断縁部に接合されるように取り付ける。
【００２３】
このようにすると、壁パネルは、下がり天井パネルあるいは床パネルの直角をなす頂点から斜辺への垂線距離だけ、セットバックされることとなる。例えば既存柱の断面が１０５ｍｍ×１０５ｍｍの場合、その対角線長さが上述した垂線距離となるため、セットバック長さは、１０５×１．４１４＝１４８ｍｍとなり、廊下の曲がり箇所は該セットバック分だけ拡幅される。したがって、車椅子は、方向転換することなく、廊下の曲がり箇所をカーブすることが可能となる。
【００２４】
ここで、前記新設柱を前記既存柱の柱幅だけ離間させて配置するとともに前記水平距離を前記既存柱の柱幅の２倍とすれば、壁パネルを平板で構成することが可能となり、コーナー部の角きりを効率よく行うことができる。
【００２５】
また、前記壁パネルを透過性材料で構成するとともに、該壁パネルと対向配置される居室側の壁材を透過性材料で構成したならば、居室内の照明が廊下側に漏れて明るくなり、電力の節約になるだけでなく、デザイン面でのアクセントにもなり得る。
【００２６】
また、前記既存壁材のうち、残置された既存壁材を耐力面材に置換するようにすれば、撤去された既存壁材の撤去分に相当する壁量減少を補うことが可能となる。
【発明を実施するための最良の形態】
【００２７】
以下、本発明に係る廊下コーナー部における身障者対応構造の施工方法の実施の形態について、添付図面を参照して説明する。なお、従来技術と実質的に同一の部品等については同一の符号を付してその説明を省略する。
【００２８】
図１乃至図６は、本実施形態に係る廊下コーナー部における身障者対応構造の施工方法を示した施工手順図である。これらの図でわかるように、本実施形態に係る廊下コーナー部における身障者対応構造の施工方法においては、まず、所定階としての２階の廊下の曲がり箇所１にある出隅部２から直交二方向に延びる既存壁材３，３を天井から所定高さＨだけ下がった上方切断高さで水平に切断する。
【００２９】
また、出隅部２から直交二方向に所定の水平距離Ｌ1，Ｌ2だけ離間した位置にてそれぞれ鉛直に切断する。
【００３０】
このようにすると、例えば廊下の天井高が２，２００ｍｍ、天井からの所定高さＨが２００ｍｍとすると、既存壁材は、高さが２，０００ｍｍのところで水平に切断されるとともに、出隅部２から所定の水平距離Ｌ1，Ｌ2だけ離間した位置で鉛直に切断されることになるので、この切断された既存壁材のコーナー部４を撤去する。
【００３１】
ちなみに、切断された既存壁材のコーナー部４を撤去すると、図２に示すように出隅部２の既存柱１１が露出する。
【００３２】
次に、図３に示すように、既存柱１１に対して直交二方向側であって水平距離Ｌ1，Ｌ2だけ離間した位置にて２本の新設柱２１，２１をそれぞれ建て込む。ここで、離間位置を新設柱２１，２１の芯とするのか縁部とするのかは任意であるが、いずれにしろ、後工程で壁パネルを取り付ける際、新設柱２１，２１を壁パネル取付け用下地として利用できるようにする。
【００３３】
新設柱２１，２１は、それらの柱脚を補強金物２３を介して二階の床梁２２の天端に固定するとともに、それらの柱頭をやはり補強金物２３を介して上階の梁２４の下端に固定する。
【００３４】
このようにすると、２本の新設柱２１，２１は、上階の梁２４を仮受けした状態となるので、図４に示すように出隅部の既存柱１１を床支持高さと上方切断高さでそれぞれ水平に切断して撤去する。
【００３５】
上方切断高さは、上述したように天井から所定高さＨだけ下がった位置であり、床支持高さは、床材を支持する高さである。なお、床材は、梁と梁に架け渡された根太の上に敷設されるのが一般的であり、図２以降、実施形態の理解を容易にするため、便宜上、根太を省略してある。そのため、新設柱２１，２１を立設するにあたっては、必要に応じて根太を避けるようにする。
【００３６】
次に、図５に示すように、直角三角形をなす床パネル４２を二階の床梁２２に残置された既存梁の下方部分４４の上端に取り付ける。取付けにあたっては、直角を挟む二辺が既存壁材と平行になるようにかつ斜辺が廊下と逆側に位置するように取り付ける。なお、床パネル４２の厚みを床材と揃えておけば、床パネル４２と床材との間に段差は生じない。
【００３７】
ここで、床パネル４２の２つの頂点部分については、根太の高さ分だけ、床梁２２との間に隙間があくことがあるが、かかる場合には、その高さに相当する脚体を床パネル４２と床梁２２との間に挟み込むことで、床パネル４２を安定した状態で取り付けるようにすればよい。
【００３８】
また、直角三角形をなす下がり天井パネル４１を上階の床梁２４に垂設状態で残置された既存梁の上方部分４３の下端に取り付ける。取付けにあたっては、直角を挟む二辺が既存壁材と平行になるようにかつ斜辺が廊下と逆側に位置するように、取り付ける。
【００３９】
ここで、下がり天井パネル４１の２つの頂点部分については、既存梁の上方部分４３の高さ分だけ、上階の床梁２４との間に隙間があくため、取付けが不安定になる懸念があるが、かかる場合には、既存梁の上方部分４３と新設柱２１，２１との間に水平下地材を架け渡し、該下地材に下がり天井パネル４１の２つの頂点部分を取り付けるようにすればよい。
【００４０】
次に、図６に示すように二カ所で折り曲げ形成した壁パネル５１を、その周縁が下がり天井パネル４１の斜辺縁部、床パネル４２の斜辺縁部及び既存壁材の切断縁部に接合されるように取り付ける。
【００４１】
このようにすると、壁パネル５１は、下がり天井パネル４１あるいは床パネル４２の直角をなす頂点から斜辺への垂線距離だけ、セットバックされることとなる。例えば既存柱の断面が１０５ｍｍ×１０５ｍｍの場合、その対角線長さが上述した垂線距離となるため、セットバック長さは、１０５×１．４１４＝１４８ｍｍとなり、廊下の曲がり箇所は該セットバック分だけ拡幅される。
【００４２】
以上説明したように、本実施形態に係る廊下コーナー部における身障者対応構造の施工方法によれば、新設柱２１，２１を既存柱１１の両脇に立設して上階の床梁２４を仮受けし、しかる後、既存柱１１を撤去するようにしたので、仮受けのための架設を別途準備する必要がなくなるとともに、完全確実な仮受けを行うことが可能となる。
【００４３】
また、本実施形態に係る廊下コーナー部における身障者対応構造の施工方法によれば、既存柱１１をすべて撤去するのではなく、二階の床梁２２に下方部分４４を残置するとともに、上階の床梁２４に上方部分４３を垂設状態で残置するようにしたので、既存柱１１の柱頭と上階の床梁２４を固定している補強金物や柱脚と二階の床梁２２を固定している補強金物を外すためにわざわざ床や天井を解体する必要がなくなり、大規模なリフォーム工事を行う必要がなくなる。
【００４４】
また、本実施形態に係る廊下コーナー部における身障者対応構造の施工方法によれば、既存柱１１を床支持高さで切断したので、その分、壁パネル５１をセットバックして廊下の出隅部を角きりすることが可能となり、かくして車椅子は、方向転換することなく、廊下の曲がり箇所をカーブすることが可能となる。
【００４５】
本実施形態では特に言及しなかったが、新設柱を既存柱からどの程度離間して立設するかは任意であり、例えば図７に示すように、新設柱２１，２１を既存柱１１の柱幅だけ離間させて配置するとともに水平距離Ｌ1，Ｌ2を既存柱１１の柱幅の２倍とすれば、壁パネル５１ａを平板で構成することが可能となり、コーナー部の角きりを効率よく行うことができる。
【００４６】
また、壁パネル５１ａを透過性材料で構成するとともに、該壁パネルと対向配置される居室側の壁材５２を透過性材料で構成したならば、居室内の照明が廊下側に漏れて明るくなり、電力の節約になるだけでなく、デザイン面でのアクセントにもなり得る。なお、かかる変形例は、上述の実施形態にもそのまま適用できることは言うまでもない。
【００４７】
また、既存壁材のうち、残置された既存壁材を所望の壁長さだけ耐力面材に置換するようにすれば、既存壁材の撤去分に相当する壁量減少を補うことが可能となる。
【図面の簡単な説明】
【００４８】
【図１】廊下コーナー部における身障者対応構造の施工手順を示した図であり、(a)は天井付近の斜視図、(b)は床付近の斜視図、(c)は水平断面図。
【図２】引き続き廊下コーナー部における身障者対応構造の施工手順を示した図であり、(a)は天井付近の斜視図、(b)は床付近の斜視図、(c)は水平断面図。
【図３】引き続き廊下コーナー部における身障者対応構造の施工手順を示した図であり、(a)は天井付近の斜視図、(b)は床付近の斜視図、(c)は水平断面図。
【図４】引き続き廊下コーナー部における身障者対応構造の施工手順を示した図であり、(a)は天井付近の斜視図、(b)は床付近の斜視図。
【図５】引き続き廊下コーナー部における身障者対応構造の施工手順を示した図であり、(a)は天井付近の斜視図、(b)は床付近の斜視図、(c)は水平断面図。
【図６】引き続き廊下コーナー部における身障者対応構造の施工手順を示した図であり、(a)は天井付近の斜視図、(b)は床付近の斜視図、(c)は水平断面図。
【図７】変形例に係る廊下コーナー部における身障者対応構造の図であり、(a)は水平断面図、(b)は天井付近の斜視図、(c)は床付近の斜視図。
【符号の説明】
【００４９】
１                            廊下
２                            出隅部
３                            既存壁材
１１                          既存柱
２１，２１                    新設柱
２２                          二階の床梁（所定階の床梁）
２４                          上階の床梁
４１                          下がり天井パネル
４２                          床パネル
４３                          既存梁の上方部分
４４                          既存梁の下方部分
５１，５１ａ                  壁パネル
５２                          居室側の壁材
【図１】
2005240473.tif 000003
【図２】
2005240473.tif 000004
【図３】
2005240473.tif 000005
【図４】
2005240473.tif 000006
【図５】
2005240473.tif 000007
【図６】
2005240473.tif 000008
【図７】
2005240473.tif 000009